(57)【特許請求の範囲】
【請求項１】
選択されたときに映像管に表示される画像情報を含む付加的なビデオ信号の信号源であり、上記画像情報の挿入を示す走査同期パルスを生成する付加ビデオ信号源と、
上記走査同期パルスに応答し、走査速度変調手段に接続され、上記付加ビデオ信号源からの画像情報の表示中に、上記通常の走査速度変調信号の流れを停止する手段と、
を有する走査速度変調装置であって、
ビデオ信号の信号源と、
上記ビデオ信号の高周波成分を表す入力信号を発生する手段と、
上記入力信号が供給され、ピーク・ピーク振幅制限された信号を生成するクリッピング用差動増幅器と、
上記振幅制限された信号に応答し、映像管内の電子ビームの走査速度を変調する走査速度変調手段に給電する出力増幅器段と、
上記クリッピング用差動増幅器と上記走査速度変調手段との間に設けられ、上記振幅制限された信号からノイズの低レベル成分を除去するノイズ除去手段と、
を有し、上記クリッピング用差動増幅器の利得減衰手段は、振幅のクリッピングが及ぶ入力信号の値を設定するため及びノイズ除去が行われる入力信号の上端の値を決定するため、上記クリッピング用増幅器の利得を低下させる
ことを特徴とする走査速度変調装置。
【発明の詳細な説明】
【０００１】
【発明の属する技術分野】
本発明は、表示装置における画像の鮮鋭度を改善するために使用される電子ビームの走査速度変調（ＳＶＭ）システムに関する。
【０００２】
【従来の技術】
電子ビーム強度を制御するビデオ信号の導関数に従って電子ビームの走査速度を変調することによって、画像解像度を改善し得ることは良く知られている。そのビデオ信号は、ルミナンス信号として周知の信号で、そのルミナンス信号の導関数を使ってビームの走査速度変調（ＳＶＭ）を行うのである。ビームの走査速度変調を行うと、カラー映像管を使用するカラー・テレビジョン・システムの画像の鮮鋭度が改善される。
【０００３】
多くの最新式のカラー・テレビジョン受像機は、また付加ビデオ信号源を持っている。その様な付加ビデオ信号源の一例は、一般にオンスクリーンディスプレイ（ＯＳＤ）発生機と呼ばれるものである。このＯＳＤ発生機の機能は、視聴者が普通のテレビジョン番組を観ているときに、付加表示情報を供給することである。すなわち、ＯＳＤ発生機は、テレビジョンのスクリーン上に表示するために、時刻、チャンネル番号、その他種々の制御情報などを供給する。
【０００４】
ＯＳＤ表示を行う場合、ＯＳＤ情報は普通の画像情報と一緒に表示される。たとえば、図２に示した様に、テレビジョン・スクリーンには“ＭＵＴＥ”なる語が表示される。この語の表示はＯＳＤ発生機によって発生されるものである。この表示は、視聴者に対して、テレビジョン画像に付帯している音声が消されていることを示している。
【０００５】
テレビジョン画像に重畳されるこの種の図形（グラフィカル）データを発生する技法は周知である。その様な技法は、テレビジョン（走査）線をカウントして適正なピクセル位置に、時刻、チャンネル番号、“ＣＯＮＴＲＡＳＴ”、“ＣＯＬＯＲ”、“ＭＵＴＥ”などの語やその他の情報を表示するための適切な図形を挿入するＯＳＤ発生機を使用するものである。オンスクリーン表示およびそれに伴ってＯＳＤ発生機を使用する場合は、そのテレビジョン受像機で処理されている通常のビデオ信号の代わりに異なったビデオ信号すなわち映像管駆動を必要とする。この様にして、観察中の画像の上に適切な情報を重ねることができる。
【０００６】
【発明が解決しようとする課題】
オンスクリーン表示発生機のような付加ビデオ信号源を有するテレビジョン受像機では、走査速度変調に関連して或る問題が発生することがある。周知のように、ＳＶＭ装置は、主ビデオ信号源から供給されるルミナンス情報を微分した信号に応じて水平ビーム走査速度を変調するように動作する。この変調は、主ルミナンス信号のＯＳＤ消去と文字信号の挿入に先行して行なわれる。この構成では、映像管すなわち表示装置へのＯＳＤ信号路がＳＶＭ装置をバイパスする。
【０００７】
そのために、主ルミナンス信号の消去された部分を表すゴースト像が、挿入したＯＳＤ文字情報の近くまたは背後でテレビジョン・スクリーン上に表れる。水平走査は、微分されたルミナンス信号に従って、たとえばルミナンス端縁部に従って、ＳＶＭコイルにより変調されているので、ＯＳＤ表示装置で発生した文字の背後のゴースト像は、主ルミナンス信号の消去された部分に含まれている画像の輪郭として現れる。
【０００８】
以上の問題点に鑑みて、本発明は、テレビジョン受像機におけるＯＳＤ発生機の動作中に、上記の妨害作用を除きながら適切に動作し、走査速度変調によるアーティファクトの発生を十分に低減させる走査速度変調回路の提供を目的とする。
【０００９】
【課題を解決するための手段】
この発明においては、走査変調回路は、第１のビデオ信号のビデオ成分に応じて、表示装置に表示される画像を変調する。付加ビデオ信号が選択されると、付加ビデオ信号はその画像情報を表示装置に表示する。しかし、走査変調回路の通常の動作は、この付加ビデオ信号の選択に応じて変更されるか、若しくは、禁止される。
【００１０】
本発明によれば、走査速度変調装置は、選択されたときに映像管に表示される画像情報を含む付加的なビデオ信号の信号源である付加ビデオ信号源を有する。この付加ビデオ信号源は、画像情報の挿入を示す走査同期パルスを生成する。走査同期パルスに応答する手段は、走査速度変調手段に接続され、付加ビデオ信号源からの画像情報の表示中に、通常の走査速度変調信号の流れを停止する。走査速度変調装置は、入力ビデオ信号の信号源と、ビデオ信号の高周波成分を表す入力信号を発生する手段と、入力信号が供給されるクリッピング用増幅器と、を更に有する。差動増幅器は、ピーク・ピーク振幅制限された信号を生成する。振幅制限された信号に応答する出力増幅器段は、映像管内の電子ビームの走査速度を変調する走査速度変調手段に給電する。差動増幅器と走査速度変調手段との間に設けられたノイズ除去手段は、振幅制限された信号からノイズの低レベル成分を除去する。クリッピング用増幅器に接続された利得減衰手段は、振幅限界に到達する信号のレベルを決定し、それよりも下のレベルで除去が行われる信号のレベル（除去が行われ始める上端の信号のレベル）を決定するため、クリッピング用増幅器の利得を低下させる。
【００１１】
【発明の実施の形態】
図１のカラー・テレビジョン受像機１０においてアンテナ１１は通常の形でチューナ１２に結合されている。チューナ１２の出力はＩＦ段１３に印加され、ＩＦ段１３の出力はくし形フィルタ１４の入力に供給される。フィルタ１４は、２つの出力を有し、その一方をルミナンス信号処理のためにルミナンス処理器１５の入力に供給し、他方の出力をクロマ復調器１６に供給する。ルミナンス処理器１５は、ＩＦ段１３の出力に発生する合成カラービデオ信号に含まれているルミナンス信号に応答する一般的な回路である。クロマ復調器１６は、Ｒ−ＹおよびＢ−Ｙ信号という様な色差信号を供給する。
【００１２】
ルミナンス処理器１５の出力から得られるルミナンス信号Ｙおよびクロマ復調器１６の出力からの色差信号は、段１７に供給される。段１７はＲＧＢマトリクスおよびＯＳＤ挿入段として構成されている。段１７は、色差信号とルミナンス信号を受入れ、１つのモードでは厳密にＲＧＢマトリクスとして働く。このモードでは、このマトリクスは、色差信号とルミナンス信号とを通常の通りに処理して、赤（Ｒ）、緑（Ｇ）および青（Ｂ）信号を生成する。このＲ、Ｇ、Ｂ信号は、映像管駆動回路２０に供給される。この駆動回路は、普通のカラー・テレビジョン受像機に具えられたカラー映像管２１を駆動する。
【００１３】
映像管２１のネック部には、水平および垂直の両偏向巻線を有する主偏向ヨーク２３が配設されている。上記各巻線は、水平偏向回路および垂直偏向回路（共に図示省略）からそれぞれ給電付勢されて、映像管２１の観察スクリーンに走査線ラスタを描かせる。映像管中の各ビームには、走査速度変調を与えるように働く補助偏向コイル、すなわち、走査速度変調（ＳＶＭ）コイル２６によって追加偏向が与えられる。ＳＶＭコイル２６は単一コイルでも、複数巻線を有するコイルでもよい。何れにしろ、磁気偏向の代わりに静電偏向を利用する偏向板など他の手段により、走査速度変調を行うこともできる。
【００１４】
ＳＶＭコイル２６への給電は、後述する走査速度変調段３５によって行われる。
【００１５】
ルミナンス・ビデオ信号ＹＳはルミナンス処理器１５により発生し、マトリクス段１７に印加される広帯域ルミナンス信号Ｙを表している。ルミナンス・ビデオ信号ＹＳはＳＶＭ段３５の入力バッファ増幅器３０に供給される。増幅器３０の出力は微分回路３１の入力に供給され、そこでこの増幅されたビデオ信号は微分処理される。微分されたこのビデオ信号は、次に、ビデオ高周波成分を表す入力として、リミッタすなわち振幅制限増幅器３２の入力に供給される。このリミッタは、通常動作に関して正負両方向で、この微分されたビデオ信号の暴走（エクスカージョン）をクリップ又は制限するように働く。クリッピング用増幅器又は振幅制限増幅器３２の出力は、たとえばノイズ除去（コアリング）を行うという様に、更に信号を処理する駆動増幅器３３の入力に印加される。駆動増幅器３３の出力は、出力電力増幅器３４の入力へ結合され、その出力電力増幅器３４への入力電圧が出力電流に変換される。この電流は、上記微分されたビデオ信号の大きさに比例するもので、ＳＶＭコイル２６の駆動に使用される。
【００１６】
ＳＶＭ段３５は、段１５、１７および２０によって処理されているルミナンス信号の遅延と整合するような信号遅延特性を持っている。こうして、表示画像の正しくタイミングの合った端縁改善を行うことができる。
【００１７】
前述したように多くの最新式のテレビジョン受像機はＯＳＤ動作をすることができる。ＯＳＤ動作のために、その様な受像機はＯＳＤ発生機４０を持っている。ＯＳＤ発生機は、水平線カウンタを備えていて、垂直同期信号に応答して、テキストや図形が映像管スクリーンに表示されている画像の上に選択的に重畳されるようにする。このＯＳＤ情報を重畳させるために、ＯＳＤ発生機４０の出力は信号線４０ｂを介してＲＧＢマトリクスとＯＳＤ挿入段１７に結合されている。この信号線上の切換信号によって、ＲＧＢマトリクス段１７は原画像情報駆動信号を消して代わりにＯＳＤ文字駆動信号を出力する。
【００１８】
ＳＶＭ段３５は、主信号源からのルミナンス信号の微分成分と共に動作し、従ってまた映像管２１に印加されている信号が一部ＯＳＤ発生機４０のような付加信号源から取り出されるものであっても動作する。ＯＳＤ発生機の動作中、映像管すなわち表示装置へのＯＳＤ信号路はＳＶＭ回路をバイパスする。これによって、前述した望ましくない可視的なアーティファクトがテレビジョン・スクリーンに現れる。
【００１９】
ＯＳＤ発生機とＳＶＭ動作の間の上記干渉作用の性質を更に理解するために、ＯＳＤ発生機が語“ＭＵＴＥ”を生成するように働く、代表的なテレビジョン・シーン３６を示している図２を参照して説明する。この語“ＭＵＴＥ”は、参照数字３８で表されるように任意形式の図形フォーマットでスクリーン上に現れる。語“ＭＵＴＥ”は、所定数の選ばれた水平線３７の間ＯＳＤ発生機によって発生させられるものであるから、スクリーン上の任意の場所に任意の大きさまたは形で表示することが可能である。シーン３６のゴースト像が、この語“ＭＵＴＥ”の表示の背後にまたは近くに現れることがある。それは、ＳＶＭ段３５が、発生した文字情報に応答するのではなく、消去したルミナンス情報に応答するからである。
【００２０】
上記の作用を除くため、この発明の一態様に従って、ＯＳＤ文字発生期間中、または付加ビデオ信号源による画像表示期間の間、ＳＶＭ段３５はその通常の動作を選択的に禁止される。図１に示すように、ＯＳＤ発生機４０からの出力信号線４０ＣはＳＶＭ段３５に結合されていて、ＯＳＤ発生の期間中ＳＶＭ動作を変更して、ＯＳＤ動作期間中にアーティファクトが現れることを大幅に減少させる。
【００２１】
ＳＶＭ段３５の詳細が表わされた図１の回路の一部が図３に示されている。図３において、ルミナンス・ビデオ信号ＹＳは、抵抗４１を介して、共通ベース形式に接続されたトランジスタ４２のエミッタ電極に供給される。この共通ベース接続トランジスタに対するベースバイアスは、動作電源＋ＶＡとアースとの間に接続された抵抗４３および４４から成る分圧器によって与えられる。トランジスタ４２のベース電極とアース間にはバイパス・キャパシタ４５が結合されている。
【００２２】
トランジスタ４２のコレクタ電極は、負荷抵抗４６を通して動作電源＋ＶＡに接続されている。トランジスタ４２のコレクタ電極は、エミッタホロワ構成のトランジスタ４８のベース電極にも結合されている。トランジスタ４８のコレクタ電極は動作電源＋ＶＡに結合され、エミッタ電極は抵抗４９を介して接地されている。このエミッタ電極は、また、キャパシタ５０を介してトランジスタ５１のベース電極にもＡＣ結合されている。トランジスタ５１は図１の差動振幅制限増幅器３２の一部をなしている。
【００２３】
トランジスタ５１のベースは、インダクタ５４とキャパシタ５５の並列回路より成るタンク回路に結合されている。このタンク回路は、微分器３１の動作について微分器の特性を補償するように平坦な遅延特性を呈し、それによって高周波動作に関して微分出力を直線化する。微分器３１はキャパシタ５５と抵抗５３で構成されている。抵抗５３は、タンク回路の端子のうちトランジスタ５１のベースから遠い方の端子に一方の端子を接続され、他方の端子を抵抗７１、７２及び７３から成る分圧器の抵抗７１と７２の接続点に接続されている。この分圧器は差動振幅制限増幅器３２のバイアス点を設定している。
【００２４】
差動振幅制限増幅器３２はトランジスタ５１と５２を含む。トランジスタ５１は、コレクタ電極を動作電源＋ＶＡに直接結合し、エミッタ電極を可制御電流源１８のトランジスタ６５のコレクタ電極に抵抗６２を通じて結合している。トランジスタ６５のエミッタ電極は抵抗６６を介してアースに結合されている。同様に、トランジスタ５２のエミッタ電極は、抵抗６３を介して、定電流源トランジスタ６５のコレクタ電極に結合されている。抵抗６２と６３はその抵抗値が等しい。
【００２５】
抵抗６２及び６３は、振幅制限増幅器３２の利得を低下させ、振幅制限増幅器３２の利得を決める効果を奏する。たとえば、抵抗６２及び６３の値が増加すると共に、振幅制限増幅器３２の利得は減少する。
【００２６】
トランジスタ５２のコレクタ電極は、コレクタ負荷抵抗６８を介して動作電源＋ＶＡに結合されていて、この振幅制限増幅器３２の出力を生成する。トランジスタ５２のベース電極は、抵抗６０を介して、抵抗７１と７２の接続点に結合され、また高周波数信号成分のバイパスとして働くキャパシタ６１を介して接地されている。トランジスタ５１のＤＣバイアスは、抵抗５３の接続を介して与えられている。抵抗６０と５３は、大きさが等しく、トランジスタ５１と５２に同じ大きさのＤＣバイアスを与え得るようになっている。
【００２７】
トランジスタ５１のベース電圧が増加すると共に、トランジスタの導通が良くなる。トランジスタ６５の電流は変化しないので、トランジスタ５２の電流は減少する。トランジスタ５１の最大の導通はトランジスタ５２がカットオフされたときに生ずる。トランジスタ５１のベース電圧が更に増加しても、トランジスタ５２のコレクタ電圧はそれ以上減少しない。従って、出力はトランジスタ６５の導通によって決められるレベルにクリップされる。振幅制限増幅器３２の利得は、固定抵抗である抵抗６２及び６３によって決められるので、振幅制限増幅器３２の利得がクリッピングレベルと一緒に変化しない点が有利である。
【００２８】
トランジスタ５１のベース電圧が減少すると共に、トランジスタ５２の導通は電流源１８のトランジスタ６５を通る電流の限界値まで増加する。トランジスタ５１のベース電圧が更に減少してもトランジスタ５２のコレクタ電圧はこれ以上増加しないので、出力はクリップ（制限）される。
【００２９】
従って、トランジスタ５２のコレクタの信号は、ピーク・ピーク制限された信号を与えるため正と負の両方向でクリップされ、そのクリッピングレベルは電流源トランジスタ６５の導通のレベルによって制御されることが分かる。
【００３０】
電流源トランジスタ６５のベース電極は、分圧抵抗７２と７３の接続点に結合されると共に、制御トランジスタ１１８のコレクタ電極にも結合されて振幅制限増幅器３２を流れる電流を制御するようになっている。この制御器１１８は、後記するように、振幅制限増幅器３２のピーク・ピーク出力信号を変化させると共に、ダブルエンデッド制限作用を与える。
【００３１】
振幅制限増幅器３２がクリッピング機能を行うレベルは、電流源１８によって制御される。トランジスタ６５のベース電流の変化は、トランジスタ５２のコレクタ電極でクリッピングされた信号の正側の暴走と負側の暴走を制御するため、トランジスタ５１とトランジスタ５２の両方のクリッピングレベルを変化させる。正側の暴走と負側の暴走の両方を制御することにより、表示された画像における明るい方から暗い方への推移と暗い方から明るい方への推移は、電流源１８によって行われた振幅制御により正確に決められる。これにより、表示された画像の鮮明さ（クリスプネス）は、画像が明るい方から暗い方へ推移しているか、又は、暗い方から明るい方へ推移しているか、とは無関係に、対称的であることが保証される。
【００３２】
トランジスタ５２のコレクタ電極はエミッタホロワ又はバッファトランジスタ８０のベース電極に直接結合されている。トランジスタ８０のコレクタ電極は動作電源＋ＶＢに結合され、出力エミッタ電源は駆動段３３に結合されている。
【００３３】
バッファ増幅器８０は、振幅制限増幅器３２と駆動段３３の間に挿入される。このようなアイソレーションバッファを信号処理パスのこの部分に設けることによって重要な効果が得られる。このようなバッファは、振幅制限（クリップ）された信号の雑音レベルが増加するときに、信号・ノイズ比（ＳＮ比）の望ましくない変化を阻止する。振幅制限増幅器３２は、駆動段３３のノイズ除去手段の低入力インピーダンス（抵抗８２の抵抗値２２０Ωと、ダイオード８１の抵抗値との合計）と比較すると、１ＫΩ（抵抗６８）の高出力インピーダンスを有する点に注意する必要がある。このようなバッファ増幅器８０を用いない場合、ノイズが増加するので、ノイズに対し付加的なレベルの信号を取り除くという望ましくない結果を生じる可能性がある。バッファ８０を用いることにより、ノイズが増加した場合でも、ノイズ除去（コアリング）のレベルが維持される。エミッタホロワ・トランジスタ８０の低出力インピーダンスは、入力信号の駆動レベルが変化しても正確なコアリングレベルを実現するために、ダイオード８１を適切にバイアスすることが可能である。
【００３４】
駆動段３３は、相補型トランジスタ８５と８８を含み、トランジスタ８５のベースはトランジスタ８０のエミッタに直結し、トランジスタ８８のベースはダイオード８１を介してトランジスタ８０のエミッタに結合している。ダイオード８１は駆動トランジスタ８５と駆動トランジスタ８８のベース間に直結されている。トランジスタ８５のエミッタとトランジスタ８８のエミッタの間には抵抗８７が結合され、トランジスタ８８のベースとアース間には抵抗８２が結合されている。トランジスタ８５と８８はＢ級増幅器を形成して、出力段３４を駆動するように働く。
【００３５】
駆動段３３は低レベルのノイズコアリング機能を備えている。なぜならば、バッファ８０のエミッタでの入力信号の値には、トランジスタ８５とトランジスタ８８のどちらも導通しない値の範囲が存在するからである。抵抗６２及び６３の値の変化は、増幅器３２の利得を変化させると共に、駆動増幅器３３によるノイズ除去に影響を与える。増幅器３２のバイアスのその他の変化も駆動段３３のノイズ除去に影響を与える。例えば、増幅器３２の利得の減少は、ノイズ除去される信号の量を増加させ、即ち、増幅器３２の利得の減少は駆動増幅器３３に供給される信号のレベルを減少させるので、より多くの低レベルノイズが除去される。ダイオード８１は、ノイズ除去レベルを決定するバイアス手段としての役割を果たす整流素子である。同様のノイズ除去のバイアス機能は、出力増幅器段３４のレジスタ１０１−１０３の列によって与えられる。
【００３６】
増幅器３２の利得は、抵抗６２及び６３のような増幅器の利得減衰部の値によって固定されるので、ノイズ除去される信号のレベルも固定である。したがって、電流源トランジスタ６５の導通レベルがクリッピングレベルを変化させるように変えられるとき、ノイズ除去の量は、このような変化によって実質的に変更されない。クリッピングレベルの設定値は、ノイズ除去のレベルとは独立している。
【００３７】
これに対して、抵抗６２及び６３の選択によって、増幅器３２の利得、ノイズ除去レベル、及び、クリッピングレベルが決まる。例えば、抵抗６２及び６３の値が減少すると、利得が増加し、トランジスタ５１のベース電極における入力信号の値がより低い値であるときにクリッピングが行われ、クリッピングの量が効果的に増大し、ノイズ除去が減少する。なぜならば、増幅器３２は、トランジスタ５１のベース電極の入力信号の低い方の値に応答するからである。
【００３８】
Ｂ級駆動段３５中のトランジスタ８５及び８８のエミッタ電極は、それぞれ、出力段３４の相補型トランジスタ１１１及び１１３の各ベース電極にＡＣ結合されている。このＡＣ結合を行うため、トランジスタ８５と８８の両エミッタ電極は、それぞれ、キャパシタ９１および９２と直列接続された各抵抗８９と９０を介して、上記トランジスタ１１１及び１１３の各ベース電極に接続されている。トランジスタ１１１のエミッタ電極は抵抗１１０を介して動作電極＋ＶＣに結合されている。抵抗１２２とキャパシタ１２１は電流制限作用と電源濾波作用を行う。動作電源＋ＶＣは、たとえば、１４ボルトである＋ＶＢ電圧電源よりも比較的高い値の、たとえば１３５ボルトという値のＤＣ電源である。これによって、出力増幅器段３４はＳＶＭコイル２６に対して高周波電流を供給することが可能となる。
【００３９】
トランジスタ１１１のコレクタ電極は、トランジスタ１１３のコレクタ電極に結合されて、Ｂ級出力段を形成している。この出力段の両トランジスタに対するバイアスは、抵抗１００、１０１、１０２および１０３から成る分圧器から得られる。トランジスタ１１３のエミッタ電極は、抵抗１１４と電流サンプリング抵抗１１６を介してアースに結合されている。抵抗１１６はフィルタキャパシタ１１５によって分路されている。抵抗１１６とキャパシタ１１５より成るＲＣフィルタの時定数は水平線期間２０乃至３０個分程度である。
【００４０】
ＳＶＭコイル２６の一方の端子はトランジスタ１１１と１１３のコレクタ同士の接続点に接続され、他方の端子は接地されたキャパシタ１０５に結合されている。この様にして、ＳＶＭコイル２６は出力段３４にＡＣ結合され、コイル中にＤＣ電流が流れることはない。ＳＶＭコイルの両端間にはダンピング抵抗１０９が結合されている。このＳＶＭコイル２６とキャパシタ１０５の接続点を抵抗１０１と１０２の接続点に結合することによって、ＤＣ安定化が行なわれる。
【００４１】
出力段３４は、ルミナンス信号ＹＳがかなりの量の平均高周波数成分を含んでいるとき、この段で過大電力消費が生じないようにするため、抵抗１１６によって形成される電流帰還系統を含む。出力段３４を流れるこの平均電流はサンプリング抵抗１１６を流れる。抵抗１１６の両端間に生ずる濾波された電圧はこの出力電流を表すもので、抵抗１２０を介してトランジスタ１１８のベース電極に結合されている。トランジスタ１１８のベース電極はキャパシタ１１７によってアースへバイパスされている。キャパシタ１１７の大きさは、不要にトランジスタ１１８に結合される可能性のある高周波数信号およびノイズを大幅に減衰させるように選ばれる。トランジスタ１１８のコレクタ電極は、定電流トランジスタ６５のベース電極に相当する分圧抵抗７２と７３の接続点に、抵抗１１９を介して結合されている。
【００４２】
たとえばビデオ信号ＹＳの平均高周波数成分の増加によって、出力段３４を流れる電流が増加すると、トランジスタ１１８の導通が増し、従ってトランジスタ６５の電流が減少することになる。トランジスタ６５の電流の減少はピーク・ピーク出力応答の低下をもたらす。その結果、出力段３４の平均駆動電流が減少し、この出力段における過大電力消費が防止される。
【００４３】
或いは、トランジスタ６５の導通によって決められるような定電流源１８の電流振幅は、後述のように、禁止回路１９のトランジスタ１３６のようなその他の素子によっても変えられる。
【００４４】
図１および図３のＯＳＤ発生機４０は、ＯＳＤ文字発生期間中、１ライン毎に、マトリクス段１７にＯＳＤブランキング・パルスを供給する。これらのブランキング・パルスは、また、ＳＶＭ禁止回路１９にも結合されて、ＯＳＤ発生期間中、通常のＳＶＭ動作を選択的に禁止する。
【００４５】
図３において、負方向のＯＳＤブランキング・パルス４０ａが、トランジスタ１３３のベース電極に抵抗１３０を介して供給される。トランジスタ１３３のベース電極とアース間には抵抗１３２が結合されている。トランジスタ１３３のコレクタ電極はＳＶＭ禁止トランジスタ１３６のベースに結合されている。トランジスタ１３６のＤＣベース・バイアスは抵抗１３４を介して動作電源＋ＶＡから得られる。トランジスタ１３６のコレクタ電極は、抵抗１３５を介して定電流源トランジスタ６５のベース電極に結合され、このトランジスタ６５のベース電極は、また後で述べるように比較的大きな値のキャパシタ１３７を介してアースに結合されている。
【００４６】
ＯＳＤ発生機４０が与えられた水平線のブロックにおいて文字発生を行うように動作する際には、このＯＳＤ発生機はこれら水平線のブロックの各線期間内に一連のブランキング・パルス４０ａを発生する。これらのパルスは各線のＯＳＤ挿入点に相当する。ブランキング・パルス４０ａのうちのどれか一つが、そのパルス期間中にトランジスタ１３６をオン状態に切り換えて、キャパシタ１３７を急速に放電し、トランジスタ６５からのベース電流の流れを変える。これによって差動増幅器３２に対する電流源は、ターンオフされるか、若しくは、その大きさが大幅に低減されることになる。それはトランジスタ１３６のコレクタに直列接続された抵抗１３５の値によって決まる。たとえば、電流源１８の大きさは、差動増幅器３２のピーク・ピーク出力が通常値から２０ｄｂ低下する点まで減少する。或る条件の下では、６ｄｂという少量の低下でさえも有効である。
【００４７】
禁止回路１９が動作した結果、出力段３４に供給されるビデオ信号の量は、問題にする程度には満たない。ＳＶＭコイル２６はＯＳＤ動作期間中に実質的に付勢状態とはならず、その結果、テレビジョン・スクリーンにアーティファクトが現れることが防止される。
【００４８】
ＯＳＤ発生が完了すると、その後はブランキング・パルス４０ａが発生されることは無く、禁止トランジスタ１３６はターンオフされることになる。この発明の別の特徴によれば、電流源トランジスタ６５はトランジスタ１３６がターンオフされても即刻導通状態にはならない。
【００４９】
その代わり、トランジスタ６５は、放電されたキャパシタ１３７がトランジスタ６５のベース・エミッタ接合を正常バイアス値まで順バイアスさせるレベルに達するまで再充電されるのに要する時間に依存した期間に亘って、遮断状態または遮断に近い状態を維持する。この再充電時間は、キャパシタ１３７と分圧抵抗７１、７２及び７３によって決まるＲＣ時定数と、動作電源＋ＶＡの値及びトランジスタ６５のベース電流回路のパラメータとの関数である。キャパシタ１３７として、比較的大きな値のキャパシタを選ぶことによって、たとえば、水平線２０本または３０本分に等しい遅延を与えることができる。これによって、ＯＳＤ発生の終了後、通常のＳＶＭ動作が比較的ゆっくりと回復することになる。
【００５０】
通常のＳＶＭ動作へのこの比較的ゆっくりとした回復動作は、種々の点から都合が良い。たとえば、図２に示すように禁止回路１９がＳＶＭ段３５に接続されていれば、電流源トランジスタ６５が禁止状態となったとき差動増幅器３２は禁止状態となる。するとトランジスタ５２のコレクタ電極は＋ＶＡ電圧レベルまで引き上げられる。このレベルは、トランジスタ８０と８５の順次連続するベース・エミッタ接合により変換され、ＤＣ阻止キャパシタ９１と９２に結合され、それらの充電レベルを変化させる。
【００５１】
電流源トランジスタ６５は、ＯＳＤ発生が終了すると直ちに完全な導通状態になったと仮定する。すると、差動増幅器３２も直ちに動作状態となる。出力増幅器段３４に対する全ピーク・ピーク振幅ＳＶＭ駆動が即時に回復することになる。しかし、キャパシタ９１と９２の充電レベルが変わっているので、不適正なＤＣ駆動レベルが上記出力増幅器に印加されることになり、誤った、しかも不所望な電子ビームの走査速度変調を引き起こす。この望ましくない変調は、全てＡＣ駆動で行われ、ＤＣ阻止キャパシタ９１と９２に正しい充電レベルが得られるまで継続する。
【００５２】
上記した不所望なＤＣ過渡状態は、キャパシタ９１と９２の値を、たとえば１０分の１またはそれ以上低減することによって避けることができる。しかし、この方法によると、ＳＶＭパルスを構成する相異なる成分周波数の伝播時間が等しくなくなるために、ＳＶＭパルス波形に不所望な変形をもたらすことになる。
【００５３】
電流源トランジスタ６５のベース電極に結合されたキャパシタ１３７を設けることによって、トランジスタ６５の導通はＯＳＤ発生の終了に伴ってゆっくりと増大する。トランジスタ５２のコレクタ電極におけるピーク・ピークＳＶＭ駆動波形は、ＤＣ阻止キャパシタ９１と９２の正しい充電レベルの再設定な追随するような形で、通常の全振幅に向かってゆっくりと増大する。差動増幅器３２のこのゆっくりしたターンオンによって、ＯＳＤ表示の終了に伴って、ゆっくりしたターンオンのない場合に生じ得るＳＶＭ過駆動状態を避けることができる。
【００５４】
次に図４を参照すると、（ａ）は、図１と図３のコイル２６を流通するＳＶＭ電流の包絡線波形を垂直期間時間スケールで示している。（ｂ）は映像管陰極のうちの代表的な１つに印加される反転陰極電圧を、上記（ａ）と同一スケールで示している。これら（ａ）および（ｂ）の波形で密に描かれた垂直線は信号の高周波数成分を略示するものである。
【００５５】
図４の（ｂ）における語“ＭＵＴＥ”は、テレビジョン・スクリーンにこの語“ＭＵＴＥ”が現れる時の、ある垂直フィールドにおける期間を表している。この期間における図４の（ａ）のＳＶＭ電流は零（０）に減少する。この減少は比較的速く（急速オフ）行われる。文字発生が終了した後は、ＳＶＭ電流は比較的ゆっくりと通常レベルに戻る（緩速オン）。キャパシタ１３７は、前述の様に、たとえば水平線２０本または３０本分に等しいゆっくりとした回復時間を与える。
【図面の簡単な説明】
【図１】本発明によるビーム走査速度変調を使用したカラー・テレビジョン受像機のブロック回路図である。
【図２】図１に示した回路の動作説明に役立つビデオ表示器を示す概略図である。
【図３】本発明を使用した図１のビーム走査速度変調および禁止装置の詳細な回路図である。
【図４】（ａ）、（ｂ）は共に図３に示された回路の動作を説明するための波形を示す図である。
【符号の説明】
１２  第１のビデオ信号の信号源
１９  パルスに応答する手段
２１  画像表示装置
３５  走査変調回路
４０  付加ビデオ信号源
１３７  遅延手段
【図１】
0003716260.tif 000002
【図２】
0003716260.tif 000003
【図３】
0003716260.tif 000004
【図４】
0003716260.tif 000005